(57)【要約】【課題】立設枠体内に被服ハンガーを左右方向に掛架可能な左右掛部及び被服ハンガーを奥行方向に掛架可能な奥行掛部を設けてなるから、複数個の被服ハンガーを左右方向及び奥行方向の両方向に掛架することができ、このため、被服ハンガーの掛架の融通性を高めることができ、立設枠体内の収納スペースの有効利用を図ることができる。【解決手段】立設枠体１内に被服ハンガーＨを掛架可能なハンガー掛部７を備えてなり、立設枠体内に被服ハンガーを左右方向に掛架可能な左右掛部８及び被服ハンガーを奥行方向に掛架可能な奥行掛部９を設けてなる。【選択図】図１
2005245779.tif 000002
【特許請求の範囲】
【請求項１】
立設枠体内に被服ハンガーを掛架可能なハンガー掛部を備えてなり、上記立設枠体内に被服ハンガーを左右方向に掛架可能な左右掛部及び該被服ハンガーを奥行方向に掛架可能な奥行掛部を設けてなることを特徴とするクローゼット。
【請求項２】
上記奥行掛部は左右方向に並列配置される一対の支持杆及び該一対の支持杆間に着脱自在に掛架可能にして上記被服ハンガーを掛架可能な奥行杆からなることを特徴とする請求項１記載のクローゼット。
【請求項３】
上記奥行杆は上記被服ハンガーを掛架可能な橋架杆部の両端部に上記一対の支持杆に掛架可能な掛鉤部を設けてなることを特徴とする請求項１又は２記載のクローゼット。
【請求項４】
上記左右掛部は左右方向に配置される横掛杆からなることを特徴とする請求項１〜３のいずれか１項に記載のクローゼット。
【発明の詳細な説明】
【技術分野】
【０００１】
本発明は例えば室内の収納家具として用いられたり、押し入れや収納室に内装して用いられるクローゼットに関するものである。
【背景技術】
【０００２】
従来、この種のクローゼットとして、左右一対の側部材と、この側部材間に水平に配置される棚部材及びハンガー掛部とを備えてなる構造のものが知られている。
【特許文献１】特開２００３−１４４２４７号公報
【発明の開示】
【発明が解決しようとする課題】
【０００３】
しかしながら上記従来構造の場合、上記ハンガー掛部は左右方向に配置された複数個の横掛杆のみからなり、この横掛杆に複数個の被服ハンガーを左右方向に並列状に配置する構造となっているため、複数個の被服ハンガーを奥行方向に掛架することができず、このため、立設枠体体内の収納スペースの有効利用を図ることができないことがあるという不都合を有している。
【課題を解決するための手段】
【０００４】
本発明はこれらの不都合を解決することを目的とするもので、本発明のうちで、請求項１記載の発明は、立設枠体内に被服ハンガーを掛架可能なハンガー掛部を備えてなり、上記立設枠体内に被服ハンガーを左右方向に掛架可能な左右掛部及び該被服ハンガーを奥行方向に掛架可能な奥行掛部を設けてなることを特徴とするクローゼットにある。
【０００５】
又、請求項２記載の発明は、上記奥行掛部は左右方向に並列配置される一対の支持杆及び該一対の支持杆間に着脱自在に掛架可能にして上記被服ハンガーを掛架可能な奥行杆からなることを特徴とするものであり、又、請求項３記載の発明は、上記奥行杆は上記被服ハンガーを掛架可能な橋架杆部の両端部に上記一対の支持杆に掛架可能な掛鉤部を設けてなることを特徴とするものであり、又、請求項４記載の発明は、上記左右掛部は左右方向に配置される横掛杆からなることを特徴とするものである。
【発明の効果】
【０００６】
本発明は上述の如く、請求項１記載の発明にあっては、上記立設枠体内に被服ハンガーを左右方向に掛架可能な左右掛部及び被服ハンガーを奥行方向に掛架可能な奥行掛部を設けてなるから、複数個の被服ハンガーを左右方向及び奥行方向の両方向に掛架することができ、このため、被服ハンガーの掛架の融通性を高めることができ、立設枠体内の収納スペースの有効利用を図ることができる。
【０００７】
又、請求項２記載の発明にあっては、上記奥行掛部は左右方向に並列配置される一対の支持杆及び一対の支持杆間に着脱自在に掛架可能にして上記被服ハンガーを掛架可能な奥行杆からなるので、奥行掛部の構造を簡素化することができると共に支持杆から奥行杆を取り外すことにより支持杆に被服ハンガーを掛架することもでき、又、請求項３記載の発明にあっては、上記奥行杆は上記被服ハンガーを掛架可能な橋架杆部の両端部に上記一対の支持杆に掛架可能な掛鉤部を設けてなるから、奥行杆を容易に製作することができると共に奥行杆を支持杆に容易に着脱することができ、又、請求項４記載の発明にあっては、上記左右掛部は左右方向に配置される横掛杆からなるので、左右掛部の構造を簡素化することができる。
【発明を実施するための最良の形態】
【０００８】
図１乃至図４は本発明の実施の形態例を示し、１は立設枠体であって、この場合、左右一対の側部材２・２の上部間に天部材３を架設すると共に複数個の連繋杆４を架設し、前面開口部５に開閉可能なアコーディオンカーテン６・６を配設し、立設枠体１内に各種の被服Ｗを掛けるハンガー掛部７を設けて構成している。
【０００９】
この場合、上記はアコーディオンカーテン６・６は、複数個のスラット状のシート材６ａを蝶番部６ｂにより山折り谷折りに連続する構造のものが左右に配置されてなり、左右の側部材２・２間に吊下杆６ｃを架設し、各シート材６ａに吊輪６ｄを設け、吊下杆６ｃに吊輪６ｄを通して複数個のシート材６ａを前面開口部５に配置し、左右の側部材２・２とこれに対向するシート材６ａ・６ａ間に両部材を接離可能な磁石部６ｅを介在すると共に一方のアコーディオンカーテン６のシート材６ａと他方のアコーディオンカーテン６のシート材６ａとの間の突き合わせ面に相互に接離可能な磁石部６ｅを設けて構成している。
【００１０】
又、この場合、上記ハンガー掛部７として、上記立設枠体１内に複数個の被服ハンガーＨ・Ｈ・・を左右方向に掛架可能な左右掛部８及び被服ハンガーＨを奥行方向に掛架可能な奥行掛部９をそれぞれ設けている。
【００１１】
又、この場合、上記奥行掛部９は一対の側部材２・２間の左右方向に並列状に架設配置された一対の支持杆９ａ・９ａ及び一対の支持杆９ａ・９ａ間に着脱自在に掛架可能にして上記被服ハンガーＨを掛架可能な奥行杆９ｂにより構成され、この奥行杆９ｂは上記被服ハンガーＨを掛架可能な橋架杆部Ｍの両端部に上記一対の支持杆９ａ・９ａに掛架可能な逆Ｕ状の掛鉤部Ｎ・Ｎを形成してなる。
【００１２】
又、この場合、上記左右掛部８は左右方向に架設配置された横掛杆Ｋからなる。
【００１３】
この実施の形態例は上記構成であるから、図１、図２の如く、上記立設枠体１内に被服ハンガーＨを左右方向に掛架可能な左右掛部８及び被服ハンガーＨを奥行方向に掛架可能な奥行掛部９を設けてなるから、複数個の被服ハンガーＨを左右方向及び奥行方向の両方向に掛架することができ、このため、被服ハンガーＨの掛架の融通性を高めることができ、立設枠体１内の収納スペースの有効利用を図ることができる。
【００１４】
又、この場合、上記奥行掛部９は左右方向に並列配置される一対の支持杆９ａ・９ａ及び一対の支持杆９ａ・９ａ間に着脱自在に掛架可能にして上記被服ハンガーＨを掛架可能な奥行杆９ｂからなるので、奥行掛部９の構造を簡素化することができると共に支持杆９ａ・９ａから奥行杆９ｂを取り外すことにより支持杆９ａ・９ａに被服ハンガーを掛架することもでき、又、この場合、上記奥行杆９ｂは上記被服ハンガーＨを掛架可能な橋架杆部Ｍの両端部に上記一対の支持杆９ａ・９ａに掛架可能な掛鉤部Ｎ・Ｎを設けてなるから、奥行杆９ｂを容易に製作することができると共に奥行杆９ｂを支持杆９ａ・９ａに容易に着脱することができ、又、この場合、上記左右掛部８は左右方向に配置される横掛杆Ｋからなるので、左右掛部８の構造を簡素化することができる。
【００１５】
尚、本発明は上記実施の形態例に限られるものではなく、例えば、立設枠体１や左右掛部８、奥行掛部９の構造や立設枠体１内の特定の部分位置に配置するなどの配置位置、配置数は適宜設計して変更される。
【００１６】
以上、所期の目的を充分達成することができる。
【図面の簡単な説明】
【００１７】
【図１】本発明の実施の形態例の部分斜視図である。
【図２】本発明の実施の形態例の全体斜視図である。
【図３】本発明の実施の形態例の全体平面図である。
【図４】本発明の実施の形態例の側断面図である。
【符号の説明】
【００１８】
Ｈ    被服ハンガー
Ｍ    橋架掛部
Ｎ    掛鉤部
Ｋ    横掛杆
１    立設枠体
７    ハンガー掛部
８    左右掛部
９    奥行掛部
９ａ    支持杆
９ｂ    奥行杆
【図１】
2005245779.tif 000003
【図２】
2005245779.tif 000004
【図３】
2005245779.tif 000005
【図４】
2005245779.tif 000006